(57)【要約】【目的】化粧瓦棒２０の汎用性が高く、塵芥や雨水の溜まりにくい構造で化粧瓦棒２０を横葺き金属屋根に取り付ける。【構成】化粧瓦棒２０を横葺き金属屋根に取り付ける取付金具１０は、棟側金属屋根板３０Ｕと軒側金属屋根板３０Ｄとの連結部に差込み片１１ｂが挿し込まれ、棟側金属屋根板３０Ｕの軒側端部３５が差込み片１１ｂと噛合い部１２ｃとの間に噛み込まれる。化粧瓦棒２０は、底部が開放された筒状で、両側の側壁２１Ｒ，２１Ｌが内側に折り曲げられて平坦な着座部２２Ｒ，２２Ｌになっており、両側壁２１Ｒ，２１Ｌが取付金具１０の両取付部１３Ｒ，１３Ｌにそれぞれ固定される。棟側金属屋根板３０Ｕと軒側金属屋根板３０Ｄの連結部より軒側の位置で棟側金属屋根板３０Ｕと軒側金属屋根板３０Ｄとの間の段差Ｈが外気に開放されている。【選択図】        図４
2004197500.tif 000002
【特許請求の範囲】
【請求項１】
取付金具を用いて化粧瓦棒を横葺き金属屋根に取り付けた構造であり、
取付金具は、軒側金属屋根板上に載置される着座部から起立した起立部に押え金具を片持ち状態で支持し、軒棟方向に長い取付孔が形成された一対の取付腕が起立部の幅方向両側から棟方向に延び、棟側金属屋根板の軒側端部を着座部と押え金具との間で挟み付けることにより固定され、
化粧瓦棒は、底部が開放された筒状で、両側壁が内側に折り曲げられて平坦な着座部になっており、両側壁が取付孔具の両取付片にそれぞれ固定され、
棟側金属屋根板と軒側金属屋根板の連結部より軒側にある棟側金属屋根板と軒側金属屋根板との間の段差で生じる隙間が外気に開放されていることを特徴とする横葺き屋根用化粧瓦棒取付構造。
【発明の詳細な説明】
【０００１】
【産業上の利用分野】
本発明は、横葺きの金属屋根に化粧瓦棒を取り付けてアクセントをつけた化粧瓦棒取付構造に関する。
【０００２】
【従来技術及び問題点】
金属屋根は、比較的軽量であるため下地の骨組み構造体に加わる負荷が小さく、釘やビスを使用して簡単に結合できることから、一般家屋，公共施設等の各種建築物で使用されている。金属屋根を用いる屋根葺では、所定のサイズに成形された単位屋根板を使用することから横葺き工法が多用されている。
構築された横葺き屋根は、単体の金属屋根板が軒先から棟にかけて多段に配置されたフラットな屋根傾斜面を呈し、意匠性に欠ける嫌いがある。そこで、横葺き屋根にアクセントを付けて意匠性を改善するため、棟から軒先に延びる化粧瓦棒を取り付けることが検討されている。
【０００３】
横葺き金属屋根は、主として平坦な傾斜面になっており、化粧瓦棒の取付けに使用される突起等がない。金属屋根板の一部を切り起こして取付部を形成し、或いは溶接，接着等で化粧瓦棒を取り付けることも考えられるが、何れも作業性が悪く、実用的でない。
横葺き金属屋根への化粧瓦棒の取付けを容易にするため、本発明者は、化粧瓦棒の両側壁を固定する取付片をもつ化粧瓦棒取付金具を特開2002−322767号公報で紹介している。紹介した化粧瓦棒取付金具は棟側金属屋根板の軒側端面に固着され、該取付金具を介し化粧瓦棒が容易に且つ強固に固定される。
【０００４】
【課題を解決するための手段】
本発明は、先に紹介した化粧瓦棒取付金具を用い、化粧瓦棒の取付構造に改良を加えることにより、化粧瓦棒の内部に塵芥が溜まらず、腐食にも強い化粧瓦棒取付構造を提供することを目的とする。
【０００５】
本発明は、取付金具で化粧瓦棒を横葺き金属屋根に取り付けた構造を対象とする。取付金具は、取付金具は、軒側金属屋根板上に載置される着座部から起立した起立部に押え金具を片持ち状態で支持し、軒棟方向に長い取付孔が形成された一対の取付腕が起立部の幅方向両側から棟方向に延びている。棟側金属屋根板の軒側端部を着座部と押え金具との間で挟みつけることにより、取付金具が棟側金属屋根板の軒側端面に固定される。化粧瓦棒は、底部が開放された筒状で、両側壁が内側に折り曲げられて平坦な着座部になっており、両側壁が取付孔具の両取付片にそれぞれ固定されている。棟側金属屋根板と軒側金属屋根板の連結部より軒側では、棟側金属屋根板と軒側金属屋根板との間の段差で生じる隙間が外気に開放されている。
【０００６】
【実施の形態】
本発明に従った化粧瓦棒取付金具１０は、金属切板の折曲げ加工で成形した固定具１１，押え具１２，取付腕１３を組み合わせている（図１）。
固定具１１は、金属屋根板の表面に接する着座面１１ａの先端が若干上方に傾斜した差込み片１１ｂになっている。着座面１１ａの中央には、押圧ボルト１４が挿し込まれるボルト孔が設けられている。押圧ボルト１４は、固定具１１と別体にする必要はなく、溶接等で固定具１１に固着して起立させることもできる。差込み片１１ｂと反対側の端部から起立部１１ｃが立ち上げられ、起立部１１ｃのほぼ中央部にスリット状の開口部１１ｄが形成されている。起立部１１ｃ下部の幅方向両側を適宜切り欠いておくと、水抜き用の通水路となる。
【０００７】
取付腕１３は、ほぼコ字状に成形されており、起立部１１ｃの背面にリベット１５で固着される固着部１３ａの幅方向両側から取付部１３Ｒ，１３Ｌが棟方向に延びている。着座面１１ａから取付部１３Ｒ，１３Ｌまでの高さＨは、棟側金属屋根板３０ｕと軒側金属屋根板３０ｄとの間に生じる段差Ｈ（図４）にほぼ等しく設定されている。取付部１３Ｒ，１３Ｌには、軒棟方向に長い取付孔１３ｂ，１３ｂが形成されている。図１の例では、別体の取付腕１３を固定具１１に固着しているが、これに拘束されることなく起立部１１ｃの両側を更に折り曲げて取付部１３Ｒ，１３Ｌとした一体型の取付金具１０も使用できる。
【０００８】
押え具１２は、左右の取付部１３Ｒ，１３Ｌ内に収まる幅の押え具本体１２ａをもち、スリット状開口部１１ｄから起立部１１ｃの背面と固着部１３ａとの間に差し込まれる上向きの支持部１２ｂが押え具本体１２ａの基端側に、着座面１１ａに向けて折り曲げられた噛合い部１２ｃが押え具本体１２ａの先端側に設けられている。押え具本体１２ａの先端側中央部には、中心位置を示す指標１２ｄが刻印されている。噛合い部１２ｃには、金属屋根板との直接接触を避けるため軟質カバー１２ｅが必要に応じて被せられる。起立部１１ｃと固着部１３ａとの間に支持部１２ｂを挟み、押え具本体１２ａから突出している押圧ボルト１４にナット１６をねじ込むと、押え具１２は、支持部１２ｂを支点として図１で時計方向に回転し、差込み片１１ｂと噛合い部１２ｃとの間隙を狭める。
【０００９】
取付金具１０で横葺き金属屋根に取り付けられる化粧瓦棒固定部２０は、金属切板を半円筒状に成形することにより作製され、取付金具１０の取付部１３Ｒ，１３Ｌそれぞれに固着される側壁２１Ｒ，２１Ｌの下端が内側に折り曲げられて着座部２２Ｒ，２２Ｌになっている。着座部２２Ｒ，２２Ｌは、化粧瓦棒２０の長手方向に関して一つの平坦面を形成する。金属切板の折曲げ加工だけで化粧瓦棒２０が作製されるため、切り屑の発生が大幅に減少する。
【００１０】
側壁２１Ｒ，２１Ｌの下部には、軒棟方向に複数の化粧瓦棒２０を連結するため、連結ボルト挿入用のボルト孔２３Ｒ，２３Ｌが長手方向両端近傍に形成されている。長手方向両端近傍以外にも、複数の取付孔２４Ｒ，２４Ｌが化粧瓦棒２０の長手方向に沿って所定のピッチで側壁２１Ｒ，２１Ｌに形成されている。長手方向に隣り合う取付孔２４Ｒ，２４Ｌのピッチは、金属屋根板の働き長さの整数倍に設定されている。ボルト孔２３Ｒ，２３Ｌと取付孔２４Ｒ，２４Ｌの兼用も可能であり、穿孔機能付き工具を使用する場合には取付孔２４Ｒ，２４Ｌを省略しても良い。この場合、着座部２２Ｒ，２２Ｌを平坦面にしているので、金属屋根板の働き長さによる制約を受けず、同一形状の化粧瓦棒２０を多様な横葺き金属屋根に使用できる。
【００１１】
化粧瓦棒２０が装着される横葺き金属屋根は、棟側金属屋根板３０Ｕの係合部３１に軒側金属屋根板３０Ｄの係止部３２を噛み合わせることにより、軒棟方向に沿って野地板３３上に金属屋根板を多段配置している（図４）。係合部３１は棟側金属屋根板３０Ｕの軒側端部を袋状に折り返すことにより成形され、係止部３２は軒側金属屋根板３０Ｄの軒側端部を曲げ加工して係合部３１に噛み合う形状に成形されている。
【００１２】
軒側金属屋根板３０Ｄを釘，ビス，ボルト等で野地板３３に固定した後、係止部３２に棟側金属屋根板３０Ｕの係合部３１を噛み合わせ、軒側金属屋根板３０Ｄに棟側金属屋根板３０Ｕを連結する。棟側金属屋根板３０Ｕを野地板３３に固定した後、一段上の棟側金属屋根板を同様に連結固定する。順次同様な手順で軒から棟にかけて金属屋根板を多段に葺き上げることにより、横葺き金属屋根が構築される。金属屋根板の敷設に先立って下葺き材３４を野地板３３上に張ったり、吊り子３７で軒側金属屋根板３０Ｄを固定する場合もある。
【００１３】
葺き上げられた金属屋根板に化粧瓦棒２０を取り付ける際、取付金具１０の差込み片１１ｂを軒側金属屋根板３０Ｄと棟側金属屋根板３０Ｕとの連結部に挿し込み、所定位置に設定する。このとき、横葺き屋根の傾斜面の棟から軒先にかけて罫書き線を引いておき、罫書き線に指標１２ｄを位置合せすると、屋根傾斜面に設けられた複数の取付金具１０が直線上に配列する。
【００１４】
軒側金属屋根板３０Ｄと棟側金属屋根板３０Ｕとの間の連結部に差込片１２を挿し込んだとき、若干上向きに傾斜した差込部１４が軒側金属屋根板３０Ｄの係止部３２に噛み込まれる。この状態で押圧ボルト１４にナット１６を締め付けると、支持部１２ｂを支点として押え具本体１２ａが回転し、先端の噛合い部１２ｃが棟側金属屋根板３０ｕの軒側上面に押し付けられる。その結果、棟側金属屋根板３０ｕの軒側端部３５が差込み片１１ｂと噛合い部１２ｃとの間に噛み込まれ、軒側端部３５に取付金具１０が強固に固着される。
【００１５】
取付金具１０は、化粧瓦棒２０の側壁２１Ｒ，２１Ｌに形成した隣り合う取付孔２４Ｒ，２４Ｌ間のピッチに等しい間隔で軒棟方向の罫書き線に沿って複数配置・固定される。取付金具１０を装着した棟側金属屋根板３０Ｕ，軒側金属屋根板３０Ｄ上に化粧瓦棒２０を配置すると、取付金具１０の取付部１３Ｒ，１３Ｌに化粧瓦棒２０の取付孔２４Ｒ，２４Ｌが一致する。なお、化粧瓦棒２０の内側に補強下地２７を必要に応じて介在させると、化粧瓦棒２０の変形が防止される。補強下地２７は、化粧瓦棒２０と同様な形状に金属切板を成形することにより用意される。
【００１６】
化粧瓦棒２０の軒棟方向に関する多少のズレは、軒棟方向に長い取付部１３Ｒ，１３Ｌで吸収される。次いで、取付孔２４Ｒ，２４Ｌ及び取付部１３Ｒ，１３Ｌにブラインドリベット２６Ｒ，２６Ｌ（図３）を挿し通し、取付部１３Ｒ，１３Ｌに左右の側壁２１Ｒ，２１Ｌを固定する。軒側化粧瓦棒２０の棟側端部に棟側化粧瓦棒２０の軒先端部を重ね合せ、ボルト孔２３Ｒ，２３Ｌに挿通したボルトで相互に連結し、同様な取付金具１０を介して金属屋根板に取り付けることにより、軒先から棟にかけて直線状に延びた化粧瓦棒が設けられる（図５）。
【００１７】
化粧瓦棒２０の着座部２２Ｒ，２２Ｌが段差のない平坦面になっているので、化粧瓦棒２０が取り付けられた横葺き金属屋根を側方から見ると、着座部２２Ｒ，２２Ｌと軒側金属屋根板３０Ｄの棟側端部との間に隙間Ｇ（図４）が生じている。隙間Ｇは、金属屋根板の各段ごとにあり、化粧瓦棒２０の内部と大気とを連通させる。そのため、化粧瓦棒２０の内部に侵入した塵芥や落ち葉は、金属屋根板に沿って流れる風に随伴し、化粧瓦棒２０の内部に滞留しない。雨水も同様に風で吹き出され、滞留水による腐食も軽減される。
【００１８】
取付金具１０の取付部１３Ｒ，１３Ｌは、軒側金属屋根板３０Ｄと棟側金属屋根板３０Ｕとの間の段差Ｈに等しい高さ位置から軒方向に延びて化粧瓦棒２０内に収まっているので、金属屋根板の表面に沿った風の流れに対する抵抗にならない。しかも、差込み片１１ｂから取付部１３Ｒ，１３Ｌの下端までの高さＨを段差Ｈに等しく設定しているため、化粧瓦棒２０が装着された状態では取付部１３Ｒ，１３Ｌの下端が着座部２２Ｒ，２２Ｌに接触し、或いは着座部２２Ｒ，２２Ｌの極近傍に位置する。その結果、取付部１３Ｒ，１３Ｌと着座部２２Ｒ，２２Ｌとの間で遊びが少なくブレが取付部１３Ｒ，１３Ｌで規制され、化粧瓦棒２０と軒側金属屋根板３０Ｄとの間に隙間Ｇがあるにも拘らず、化粧瓦棒２０の取付状態が安定化する。
【００１９】
以上の例では、半円筒形状の化粧瓦棒２０を使用しているが、本発明はこれに拘束されるものではなく、断面が矩形状や将棋駒状の化粧瓦棒２０を使用することも可能であり、化粧瓦棒２０の断面形状に応じて左右取付部１３Ｒ，１３Ｌの面積や開き具合を変え、或いは更に化粧瓦棒２０の断面形状に対応する輪郭の固着部１３ａをもつ取付金具１０を使用する。
【００２０】
たとえば、右側壁２１Ｒと左右側壁２１Ｌとが互いに傾斜している断面将棋駒状の化粧瓦棒２０には、右側壁２１Ｒと左右側壁２１Ｌの傾斜角度に等しく取付部１３Ｒ，１３Ｌを傾斜させた取付金具１０が使用される。高さのある化粧瓦棒２０を使用する場合、化粧瓦棒２０の上部を内側から支持する機能を取付金具１０にもたせ、化粧瓦棒２０の保形を図ることができる。高さ調節具で化粧瓦棒２０の上部内面を支持することもできる。
【００２１】
【発明の効果】
以上に説明したように、平坦な着座部２２Ｒ，２２Ｌをもつ化粧瓦棒２０を取付金具１０で横葺き金属屋根に取り付けるとき、棟側金属屋根板３０Ｕと軒側金属屋根板３０Ｄの連結部より軒側で化粧瓦棒２０と軒側金属屋根板３０Ｄと間に大気に連通する隙間Ｇが生じる。隙間Ｇは、化粧瓦棒２０の内部に溜まりがちな塵芥，落ち葉，雨水等を吹き飛ばす風の通風孔として働くため、化粧瓦棒２０の内部に塵芥，落ち葉，雨水等が滞留することなく、金属製の化粧瓦棒２０や金属屋根板の腐食も抑制される。しかも、各段にある金属屋根板の働き幅による制約がなくなり、化粧瓦棒２０の適用自由度が向上する。
【図面の簡単な説明】
【図１】取付金具の斜視図
【図２】化粧瓦棒の斜視図
【図３】化粧瓦棒を取り付けた横葺き金属屋根を軒側から見た断面図
【図４】化粧瓦棒を取り付けた横葺き金属屋根を横方向から見た断面図
【図５】化粧瓦棒を取り付けた横葺き金属屋根の斜視図
【符号の説明】
１０：化粧瓦棒取付金具    １１：固定具１１    着座面１１ａ：    差込み片
１１ｂ：    起立部１１ｃ：    開口部１１ｄ：    押え具１２：    押え具本体１２ａ：    支持部１２ｂ：    噛合い部１２ｃ：    指標１２ｄ：    軟質カバー１２ｅ：    取付腕１３：    固着部１３ａ：    １３ｂ，１３ｂ：取付孔    取付部１３Ｒ，１３Ｌ：    押圧ボルト１４：    リベット１５：    ナット１６：化粧瓦棒２０：    側壁２１Ｒ，２１Ｌ：    着座部２２Ｒ，２２Ｌ：    ボルト孔２３Ｒ，２３Ｌ：    取付孔２４Ｒ，２４Ｌ：    ２６Ｒ，２６Ｌ：ブラインドリベット    ２７：補強下地
３０Ｕ：棟側金属屋根板    ３０Ｄ：軒側金属屋根板    ３１：係合部    ３２：係止部    ３３：野地板    ３４：下葺き材    ３５：軒側端部    ３６：ブラインドリベット    ３７：吊り子
Ｇ：隙間    Ｈ：棟側，軒側金属屋根板間の段差（取付金具の差込み片から取付部までの高さ）
【図１】
2004197500.tif 000003
【図２】
2004197500.tif 000004
【図３】
2004197500.tif 000005
【図４】
2004197500.tif 000006
【図５】
2004197500.tif 000007